(57)【要約】【課題】本発明は、バッテリの残留電流が少ない場合において、テレビ受信の可能な時間を延長する。【解決手段】この目的を達成するために本発明は、高周波信号を受信する受信部１７と、この受信部１７の出力が接続される復調部２１と、この復調部２１からの復調信号が出力される復調出力端子２３と、受信部の受信条件を切替える受信制御部２７とを備え、受信制御部２７にはバッテリ１１ａの残留電流を表すバッテリ残留信号が供給されるバッテリ信号用入力端子３１を設け、バッテリ１１ａの残留電流が少ない場合には、受信制御部２７により通常電力の受信条件から低消費電力の受信条件に切替える。【選択図】図１
2009060363.tif 000002
【特許請求の範囲】
【請求項１】
高周波信号を受信する受信部と、この受信部の出力が接続される復調部と、この復調部からの復調信号が出力される復調出力端子と、前記受信部の受信条件を切替える受信制御部とを備え、前記受信制御部にはバッテリ（蓄電池）の残留電流を表すバッテリ残留信号が供給されるバッテリ信号用入力端子を設け、前記バッテリの残留電流が少ない場合には、前記受信制御部により通常電力の受信条件から低消費電力の受信条件に切替えが行われる受信装置。
【請求項２】
受信部を複数個の受信部から構成することによりシングル受信とダイバシティ受信との切替えを可能とする請求項１に記載の受信装置であって、バッテリの残留電流が少ない場合に受信制御部により、通常電力の受信条件から低消費電力の受信条件に切替え、かつダイバシティ受信からシングル受信に切替えが行われる受信装置。
【請求項３】
復調部と受信制御部との間に受信品質を検出する受信品質検出部を設け、前記受信品質検出部からの制御信号により消費電力の受信条件と通常電力の受信条件との切替え、またはシングル受信とダイバシティ受信との切替えが行われる請求項２に記載の受信装置。
【請求項４】
受信品質検出部における判定信号は、ＰＥＲ（パケットエラーレート）が用いられる請求項３に記載の受信装置。
【請求項５】
受信品質検出部における判定信号は、ＢＥＲ（ビットエラーレート）が用いられる請求項３に記載の受信装置。
【請求項６】
受信品質検出部における判定信号は、Ｃ／Ｎが用いられる請求項３に記載の受信装置。
【請求項７】
請求項１または請求項２に記載の受信装置を用いた携帯用受信機器において、前記受信装置の復調出力端子に接続される復調信号を復号するデコーダ部と、このデコーダ部からの映像、音声が入力される表示部と、これら受信装置、デコーダ部、表示部を制御するシステム制御部とを接続し、バッテリ信号用入力端子にバッテリ残留信号が供給される携帯用受信機器。
【請求項８】
バッテリ残留信号は、受信装置のバッテリ信号用入力端子に代わってシステム制御部に設けられたバッテリ信号用入力端子に供給される請求項７に記載の携帯用受信機器。
【請求項９】
表示部には、シングル受信、ダイバシティ受信の場合に、１本のアンテナ、２本のアンテナがそれぞれ表示される請求項７に記載の携帯用受信機器。
【請求項１０】
表示部には、少なくとも省電力の場合に、２本のアンテナに挟まれて前記省電力の状態が表示される請求項７に記載の携帯用受信機器。
【発明の詳細な説明】
【技術分野】
【０００１】
本発明は、バッテリの残留電流が低下した場合においてもテレビ受信の可能な時間を延長できる受信装置とこれを用いた携帯用受信機器に関するものである。
【背景技術】
【０００２】
近年の上記携帯用受信機器は、特にデジタル放送が開始され、テレビ用受信装置の搭載がますます増してきている。
【０００３】
例えば、携帯用受信機器を駆動するバッテリの残留電流が低下してきた場合には、このバッテリの残留電流を示す信号により、強制的にテレビ受信ができないようにバッテリの供給を停止していた。
【０００４】
なお、この出願の発明に関連する先行技術文献情報としては、例えば、特許文献１が知られている。
【特許文献１】特開平５−３００１２９号公報
【発明の開示】
【発明が解決しようとする課題】
【０００５】
そこで本発明は、バッテリ部から出力される残留電流を表す信号を用いて、テレビ受信の可能な時間を延長することを目的とするものである。
【課題を解決するための手段】
【０００６】
そしてこの目的を達成するために本発明は、受信制御部にはバッテリの残留電流を表すバッテリ残留信号が供給されるバッテリ信号用入力端子を設け、前記バッテリの残留電流が少ない場合には、前記受信制御部により通常電力の受信条件から低消費電力の受信条件に切替えを行う。
【０００７】
これにより所期の目的を達成するものである。
【発明の効果】
【０００８】
以上の如く本発明は、受信制御部にはバッテリの残留電流を表すバッテリ残留信号が供給されるバッテリ信号用入力端子を設け、前記バッテリの残留電流が少ない場合には、前記受信制御部により通常電力の受信条件から低消費電力の受信条件に切替えを行う。
【０００９】
これにより、テレビ受信中にバッテリの残留電流が低下した場合においても、テレビ受信品質を確保しながら、テレビ受信の可能な時間を延長することができる。
【発明を実施するための最良の形態】
【００１０】
（実施の形態１）
図１は、本発明の一実施形態における受信装置の回路ブロック図である。図１において、携帯用受信機器１は、受信装置３と、この受信装置３の出力が接続されるデコーダ部５と、このデコーダ部５の出力が接続される表示部７と、これら受信装置３、デコーダ部５および表示部７を制御するシステム制御部９と、これら受信装置３、デコーダ部５および表示部７に電源を供給するバッテリ部１１が設けられている。このバッテリ部１１は、バッテリ１１ａと、このバッテリ１１ａの残留電流を表す信号を出力するバッテリ信号用出力端子１１ｂが設けられている。
【００１１】
受信装置３は、アンテナ１３、１５からの高周波信号がそれぞれ供給される受信部１７、１９と、これら受信部１７、１９の出力がそれぞれ接続される復調部２１と、この復調部２１からの復調信号が出力される復調出力端子２３と、復調部２１から出力される受信品質信号が供給される受信品質検出部２５と、この受信品質検出部２５からの検出信号が供給される受信制御部２７と、受信制御部２７に選局データを入力するデータ入力端子２９と、バッテリ部１１に設けられたバッテリ信号用出力端子１１ｂから出力されるバッテリの残留状態を表すバッテリ残留信号が供給されるバッテリ信号用入力端子３１が設けられている。
【００１２】
また、受信制御部２７から出力される第１、第２の制御信号は、受信部１７、１９の制御用端子１７ａ、１９ａにそれぞれ接続されている。
【００１３】
このように構成された携帯用受信機器１の動作について以下説明する。アンテナ１３、１５からの高周波信号は、受信部１７、１９により利得制御され、周波数変換されてＩＦ信号あるいはベースバンド信号が出力される。
【００１４】
これら受信部１７、１９の出力信号は、復調部２１にそれぞれ入力される。この復調部２１の復調出力端子２３からは復調信号が出力される。この復調信号は、デコーダ部５により復号化され、表示部７により映像、音声を視聴できる。
【００１５】
また、データ入力端子２９から入力される制御用データは、受信制御部２７に入力され、この受信制御部２７から出力される第１、第２の制御信号により、受信部１７、１９の選局チャンネルが選択され、あるいはシングル受信、ダイバシティ受信に切替えられる。
【００１６】
さらに、バッテリ信号用入力端子３１から入力されるバッテリ残留信号は、受信制御部２７に入力される。このバッテリ残留信号が、予め定められた以下の残留信号となった場合には、受信制御部２７は、受信品質検出部２５からの検出信号に応じてダイバシティ受信からシングル受信へ、あるいは受信部１７、１９を通常電力から低消費電力の受信条件に切替える。
【００１７】
表１は、受信条件Ａ、Ｂ、Ｃ、Ｄにそれぞれ対応した受信装置３の消費電流を表している。
【００１８】
【表１】
2009060363.tif 000003
【００１９】
表１において、ダイバシティ受信とは、受信部１７、１９からの出力信号を復調部２１にて合成して受信感度を良好にするものである。シングル受信とは、受信部１７、１９の少なくとも一方を用いて受信するものである。
【００２０】
通常電力とは、受信部１７、１９の一方または両方を通常の電流値により動作させるものである。
【００２１】
低消費電力とは、受信部１７、１９の一方または両方を通常より小さい電流値により動作させるものである。この小さい電流値とする部分は、例えば、受信部１７、１９に設けられた混合器（図示せず）、あるいはこの混合器の入力側に設けられた増幅器（図示せず）とできる。なお、電流値を小さくすることにより低消費電力としたが、駆動電圧を下げて省電力としてもよい。
【００２２】
例えば、受信条件Ａは、ダイバシティ受信で通常電力での受信条件である。受信条件Ｂは、受信条件Ａから省電力とした受信条件である。受信条件Ｃは、受信条件Ａからシングル受信とした受信条件である。受信条件Ｄは、受信条件Ａからシングル受信、かつ省電力とした受信条件である。
【００２３】
このように、受信条件Ａ、Ｂ、Ｃ、Ｄにおける受信装置３のそれぞれの消費電流は、例えば２１０ｍＡ、１７０ｍＡ、１２２ｍＡ、１０２ｍＡとできる。
【００２４】
この表１に従って、バッテリ信号用入力端子３１に入力されるバッテリ残留信号が、予め定められた以下の残留信号となった場合には、受信制御部２７により、受信条件を切替えることができる。
【００２５】
例えば、受信条件Ａの場合には受信条件Ｂに切替え、受信条件Ｂの場合には受信条件Ｃに切替え、受信条件Ｃの場合には受信条件Ｄに切替える。
【００２６】
このように、受信条件Ａ、Ｂ、Ｃ、Ｄの順に消費電流を小さく設定できるので、省電力化が可能となる。
【００２７】
次に、これら受信条件Ａ〜Ｄを切替え制御するための受信品質検出部２５について説明する。
【００２８】
この受信品質検出部２５には、バッテリ信号用出力端子１１ｂが接続されている入力端子２５ａが設けられている。このバッテリ１１ａのバッテリ残留電流が少ない場合には、受信品質検出部２５は、ＰＥＲを選択して受信品質を検出する。
【００２９】
このＰＥＲを用いて受信品質検出部２５によるテレビ受信品質の検出を行う場合、Ｃ／Ｎ、ＢＥＲを用いる場合に比べて、長い検出時間でテレビ受信品質を検出することになるが、検出のための判定基準値は受信限界値に対する余裕度を小さくすることができる。
【００３０】
このため、ＰＥＲを用いた場合には、最もゆるい判定基準での検出が可能となるので、テレビ受信品質の劣化の頻度が少なくなる。このため、例えば受信条件Ｄの方に設定される回数が少なくなり、その結果として低消費電力化が可能となる。
【００３１】
なお、本実施の形態においては、受信部１７、１９によりダイバシティ受信の可能な受信装置３としたが、例えば受信部１９を削除し、受信部１７のみでシングル受信する受信装置３ａ（図示せず）とした場合においても、低消費電力の効果は同様である。
【００３２】
すなわち、受信品質検出部２５によりテレビ受信品質を検出し、受信条件Ｃから受信条件Ｄに切替える。これにより、消費電流を小さく設定できるので、低消費電力化が可能となる。
【００３３】
以上のように、バッテリ１１ａの残留電流が少ない場合には、受信品質検出部２５からの制御信号に基づいて、受信制御部２７が、ダイバシティ受信とシングル受信との切替え、あるいは通常電力と低消費電力との受信条件の切替えを選択する。これにより、消費電力の削減を行うことが可能となり、テレビ受信の可能な時間を延長することができる。
【００３４】
例えば、受信品質検出部２５の受信品質信号としてＰＥＲを用いた場合には、Ｃ／Ｎ、ＢＥＲに比較して、最も精度よくテレビ受信品質を検出することができる。このため、ＰＥＲでの受信品質判定値は、所要のテレビ受信品質に対して余裕値を最も少なくできる。従って、低消費電力に設定できる時間を最も長くできるので、テレビ受信の可能な時間を最大限に延長することができる。
【００３５】
このＰＥＲを用いた場合には、Ｃ／Ｎ、ＢＥＲに比較して、受信品質の検出時間が最も長い。このため、固定受信でのテレビ受信に適している。
【００３６】
例えば、受信品質検出部２５の検出としてＢＥＲを用いた場合には、ＰＥＲに比較して、テレビ受信品質の検出精度は劣るが、より短い検出時間でテレビ受信品質を検出することができる。このため、歩行、自転車のように低速移動中のテレビ受信品質の劣化が発生する場合に適している。
【００３７】
例えば、受信品質検出部２５の検出としてＣ／Ｎを用いた場合には、ＢＥＲ、ＰＥＲに比較して、テレビ受信品質の精度は最も劣化するが最も短い検出時間でテレビ受信品質を検出することができる。このため、例えば、自動車や電車のように高速移動中にフェージング、マルチパスによるテレビ受信品質の劣化が発生する場合に適している。
【００３８】
これらＣ／Ｎ、ＢＥＲ、ＰＥＲのいずれかは、受信品質検出部２５により選択することができる。
【００３９】
なお、本実施の形態においては、受信部１７、１９によりダイバシティ受信の可能な受信装置３としたが、例えば受信部１９を削除し、受信部１７のみでシングル受信する受信装置３ａ（図示せず）とした場合においても、省電力の効果は同様である。
【００４０】
すなわち、受信品質検出部２５によりテレビ受信品質を検出し、受信条件Ｃから受信条件Ｄに切替える。これにより、消費電流を小さく設定できるので、省電力化が可能となる。
【００４１】
さらに、バッテリ１１ａの残留電流を表す信号を出力するバッテリ信号用出力端子１１ｂは、受信装置のバッテリ信号用入力端子３１に代わってシステム制御部９に設けられたバッテリ信号用入力端子９ａ（図示せず）に接続することができる。この場合、バッテリ１１ａの残留電流を表す信号は、システム制御部９を介して受信制御部２７に供給される。
【００４２】
図２は、携帯用受信機器１の全体図を表している。図２において、携帯用受信機器１は、本体部５１と、表示部７が設けられた付属部５３とから構成されている。
【００４３】
図３（ａ）、（ｂ）、図４（ａ）、（ｂ）は、表１で表した受信条件Ａ、Ｂ、Ｃ、Ｄにおけるそれぞれの表示部７の表示内容を表す図である。
【００４４】
図３（ａ）、（ｂ）に示すように、ダイバシティ受信は、アンテナ表示６１、６２の２本のアンテナによりダイバシティ受信を表示する。
【００４５】
図４（ａ）、（ｂ）に示すように、シングル受信は、アンテナ表示６１、６２のいずれか一方のアンテナによりシングル受信を表示する。
【００４６】
このようにして、ダイバシティ受信、シングル受信の表示を行うことにより、携帯用受信機器１の受信条件を把握できる。
【００４７】
図３（ｂ）、図４（ｂ）に示すように、低消費電力による受信は、アンテナ表示６１、６２に挟まれた位置に例えば「ＰＬＯＷ」の表示を行う。このようにして、低消費電力の表示を行うことにより、低消費電力の受信条件を把握できる。
【００４８】
このようにして、表示部７にアンテナ表示６１、６２あるいは低消費電力の表示６４が表示されるので、テレビ受信の可能な状態を認識しながら視聴できる。このため、テレビ受信が突然切れて慌てることがない。
【産業上の利用可能性】
【００４９】
以上の如く本発明は、バッテリの残留電流が小さくなったとしても、テレビ受信品質を確保し、省電力の受信条件が可能になるので、携帯用受信機器に用いることができる。
【図面の簡単な説明】
【００５０】
【図１】本発明の実施の形態１における携帯用受信機器の回路ブロック図
【図２】同、携帯用受信機器の図
【図３】（ａ）同、ダイバシティ受信および通常電力における表示部の図、（ｂ）同、ダイバシティ受信および低消費電力における表示部の図
【図４】（ａ）同、シングル受信および通常電力における表示部の図、（ｂ）同、シングル受信および低消費電力における表示部の図
【符号の説明】
【００５１】
３  受信装置
１７  受信部
２１  復調部
２３  復調出力端子
２５  受信品質検出部
２７  受信制御部
３１  バッテリ信号用入力端子
【図１】
2009060363.tif 000004
【図２】
2009060363.tif 000005
【図３】
2009060363.tif 000006
【図４】
2009060363.tif 000007